(57)【特許請求の範囲】
【請求項１】
吹出し口を有する天井埋込型空気調和機において、
前記吹出し口の両端部に支持軸を設けると共に、その中間部に挿入穴を有する中間支持アームを設けた空気調和機本体と、
両端部に前記支持軸と嵌合する軸受穴を設けると共に、中間部に長手方向に滑動して前記中間支持アームの挿入穴に嵌合する可動軸を有する可動連結部を設けた風向板とを備えたことを特徴とする天井埋込型空気調和機。
【請求項２】
中間支持アームと、該中間支持アームに嵌合する可動連結部の可動軸を、異なる材料によって構成したことを特徴とする請求項１記載の天井埋込型空気調和機。
【請求項３】
風向板に可動連結部の可動軸が挿入される穴を有するリブ及び前記可動連結部の移動量を規制するストッパを設けたことを特徴とする請求項１または２記載の天井埋込型空気調和機。
【発明の詳細な説明】
【０００１】
【発明の属する技術分野】
本発明は、天井内に設置される天井埋込型の空気調和機に関するものである。
【０００２】
【従来の技術】
図４は、従来の天井埋込型空気調和機の吹出し口の一例を示す斜視図である。図に示すように、風向板を構成する可動ベーン２０の両端部には外側に向かって突き出した回動軸２１ａ，２１ｂが設けられ、ノズル２２の吹出し口両端部に設けられた回動穴（図示せず）に挿入されている。ノズル２２には吹出し口内側に向かって突出した中間支持アーム２３ａ，２３ｂが設けられており、可動ベーン２０の連結部２４ａ，２４ｂが連結している。なお、回動軸２１ｂは、ノズル２２内部に配設された可動ベーン駆動用のモータ軸（図示せず）に連結している。
【０００３】
【発明が解決しようとする課題】
従来の天井埋込型の空気調和機は以上のように構成されているので、可動ベーン２０を容易に取り外すことができず、また、可動ベーン２０は意匠面を形成しているにもかかわらず、例えば、複数色の化粧パネルに対応して色を合わせることが困難であり、意匠性が悪かった。
また、可動ベーン２０を容易に取り外すことができないため、可動ベーン２０が汚れた場合にこれを清掃するのが困難であった。
【０００４】
本発明は上記のような課題を解決するためになされたもので、可動ベーンを容易に取り外すことができ、必要に応じてこれを交換して意匠性を向上させ、さらに清掃性も向上させることができる天井埋込型空気調和機を得ることを目的とする。
【０００５】
【課題を解決するための手段】
本発明は吹出し口を有する天井埋込型空気調和機であって、吹出し口の両端部に支持軸を設けると共に、その中間部に挿入穴を有する中間支持アームを設けた空気調和機本体と、両端部に支持軸と嵌合する軸受穴を設けると共に、中間部に長手方向に滑動して中間支持アームの挿入穴に嵌合する可動軸を有する可動連結部を設けた風向板とを備えたものである。
また、中間支持アームと、中間支持アームに嵌合する可動連結部の可動軸を、異なる材質によって構成したものである。
【０００７】
また、風向板に可動連結部の可動軸が挿入される穴を有するリブ及び可動連結部の移動量を規制するストッパを設けたものである。
【０００８】
【発明の実施の形態】
［実施の形態１］
図１は本発明の実施の形態１に係る天井埋込型空気調和機の斜視図、図２は図１の要部を拡大した斜視図である。１は空気調和機本体のノズルで、ここから吹き出し口の内側に向かって第１、第２の支持軸２ａ，２ｂが設けられている。また、３ａ，３ｂは吹出し口の内側に向かって配設された第１、第２の中間支持アームで、その先端部近傍には挿入穴４ａ，４ｂが設けられている。
【０００９】
５は風向板を構成する可動ベーンで、その両端部にはノズル１に設けられた第１、第２の支持軸２ａ，２ｂに挿入される第１、第２の軸受穴６ａ，６ｂが設けられている。また、可動ベーン５の途中には、第１、第２の中間支持アーム３ａ，３ｂの挿入穴４ａ，４ｂに挿入される可動軸１０を備えた第１、第２の可動連結部７ａ，７ｂが取り付けられている。
【００１０】
第１、第２の可動連結部７ａ，７ｂ（両可動連結部７ａ，７ｂは同じ構造なので、以下第１の可動連結部７ａ−７と記す−について説明する）は、図２に示すように、先端部両側に係止部９を有し可動ベーン５に沿って長手方向にスライドするほぼロ字状の滑動部８と、滑動部８の先端部に設けられた可動軸１０と、可動軸１０の反対側に設けられた柄部１１とからなっている。なお、例えば可動ベーン５に溝を設けるとともに、可動連結部７の背面にこの溝に嵌入するリブ等を設け、可動連結部７を溝に沿ってスライドさせるようにしてもよい。
１２は可動軸１０が挿脱可能に挿入される穴１３を有するリブ、１４は滑動部８の両側に設けたストッパで、両者は可動ベーン５に固定されている。
【００１１】
上記のように構成した可動連結部７において、常時は可動軸１０はリブ１２の穴１３内に挿入されており、柄部１１を手で矢印ａ方向に移動させると、可動軸１０は穴１３から外方に突出する。また、柄部１１を矢印ｂ方向に移動させると、滑動部８の係止部９がストッパ１４に当たって停止する。このとき、可動軸１０はリブ１２の穴１３内に位置しており、可動連結部７が可動ベーン５から脱落することはない。このようにして、リブ１２とストッパ１４は可動連結部７の移動量を規制すると共に、可動ベーン５からの脱落を防止する。
【００１２】
第２の可動連結部７ｂの構成も、前述のように第１の可動連結部７ａの構成と同様なので、説明は省略する。
上記の構成において、第１、第２の中間支持アーム４ａ，４ｂと、第１、第２の可動連結部７ａ，７ｂの可動軸１０とは、例えばＰＳとＰＰのように異なる材質によって製造するようにしてもよい。
【００１３】
次に、上記のように構成した天井埋込型空気調和機の可動ベーン５の着脱作用について説明する。可動ベーン５を空気調和機本体に取付ける場合は、まず、第１の可動連結部７ａを矢印ｂ方向に、第２の可動連結部７ａを矢印ａ方向にそれぞれ移動し、可動軸１０をリブ１２の穴１３内に位置させる。そして、図１に示すように、可動ベーン５を空気調和機本体の吹き出し口に位置させ、一方の軸受穴（例えば６ｂ）をノズル１に設けた支持軸２ｂに嵌合し、同方向に押しながら他方の軸受穴６ａを支持軸２ａに嵌合する。これにより、可動ベーン５のリブ１２に設けた穴１３は、第１、第２の中間支持アーム３ａ，３ｂの挿入穴４ａ，４ｂとそれぞれ整合する。
【００１４】
この状態で、第１、第２の可動連結部７ａ，７ｂの柄部１１を矢印ａ方向（矢印ｂ方向）にそれぞれ移動させ、可動軸１０を第１、第２の中間支持アーム３ａ，３ｂの挿入穴４ａ，４ｂに挿入させる。これにより、可動ベーン５は空気調和機本体に確実に、かつ回動可能に取付けられる。
【００１５】
可動ベーン５を空気調和機本体から取外す場合は、第１の可動連結部７ａを図２の矢印ｂ方向に、第２の可動連結部７ｂを矢印ａ方向にスライドさせる。これにより両者の可動軸１０が第１、第２の中間支持アーム３ａ，３ｂの挿入穴４ａ，４ｂから抜けて、この部分がフリーになる。ついで、可動ベーン５を図１の矢印ｂ方向に移動させ、軸受穴６ａを支持軸２ａから外して軸受穴６ａ側を下方に移動させると、他方の軸受穴６ｂが支持軸２ｂから外れるので、可動ベーン５を空気調和機本体から取り外すことができる。
【００１６】
本実施の形態によれば、可動ベーン５を簡単に着脱することができ、必要に応じて化粧パネルの色に合わせて交換することができるのでインテリア性を向上させることができる。また、取り外した可動ベーン５を容易に清掃することが可能になる。さらに、第１、第２の中間支持アーム３ａ，３ｂの材質と、第１、第２の可動連結部７ａ，７ｂの可動軸１０の材質を変えることで、可動部における異音の発生を低減することができる。
【００１７】
［実施の形態２］
図３は実施の形態２に係る天井埋込型空気調和機の要部斜視図である。なお、実施の形態１の構成と同一又は相当部分については同一の符号を付し、説明を省略する。
本実施の形態は、実施の形態１の第１、第２の中間支持アーム３ａ，３ｂを省略すると共に、これに対応して可動ベーン５の中間部に設けた第１、第２の可動連結部７ａ，７ｂ、リブ１２及びストッパ１４を省略し、ノズル１に設けた支持軸２ａ，２ｂに代えて、支持穴１５ａ，１５ｂ（１５ｂは図示していない）を設けると共に、可動ベーン５の両端部に、軸受穴６ａ，６ｂに代えて、第１、第２の可動連結部７ａ，７ｂ、リブ１２及びストッパ１４を設けたものである。
【００１８】
上記のように構成した本実施の形態に係る天井埋込型空気調和機の可動ベーン５は、空気調和機本体の吹出し口に位置させて第１、第２の可動連結部７ａ，７ｂを操作し、その可動軸１０をノズル１に設けた支持穴１５ａ，１５ｂに挿入することにより取付けられる。
また、第１、第２の可動連結部７ａ、７ｂを操作して、可動軸１０を支持穴１５ａ，１５ｂから抜くことにより、容易に取外すことができる。
本実施の形態によれば、可動ベーン５は両端部に設けた第１、第２の可動連結部７ａ，７ｂを操作するだけでよいので、より簡単に着脱することができる。
【００１９】
上記の説明では、第１、第２の中間支持アーム３ａ，３ｂ、可動ベーン５の中間部に設けた第１、第２の可動連結部７ａ，７ｂ、リブ１２、ストッパ１４を省略して、可動ベーン５の両端部に可動連結部７ａ，７ｂ等を設けた場合を示したが、上記の第１、第２の中間支持アーム３ａ，３ｂ、第１、第２の可動連結部材７ａ，７ｂ等を省略することなく、可動ベーン５の両端部に前述のように第１、第２の可動連結部材７ａ，７ｂ等を設けてもよい。
【００２０】
【発明の効果】
以上の説明から明らかなように、本発明は、吹出し口を有する天井埋込型空気調和機において、吹出し口の両端部に支持軸を設けると共に、その中間部に挿入穴を有する中間支持アームを設けた空気調和機本体と、両端部に支持軸と嵌合する軸受穴を設けると共に、中間部に長手方向に滑動して中間支持アームの挿入穴に嵌合する可動軸を有する可動連結部を設けた風向板とを備えたので、風向板を容易に着脱できる。また、化粧パネルの色に合わせて風光板を交換することによりインテリア性を向上することができ、その上取り外した風向板を容易に清掃することが可能になる。
【００２１】
また、中間支持アームと、中間支持アームに嵌合する可動連結部の可動軸を、異なる材質によって構成したので、可動部における異音の発生を低減することができる。
【００２３】
また、風向板に可動連結部の可動軸が挿入される穴を有するリブ及び可動連結部の移動量を規制するストッパを設けたので、可動連結部の移動量を規制すると共に、可動ベーンからの脱落を防止することができる。
【図面の簡単な説明】
【図１】  本発明の実施の形態１に係る天井埋込型空気調和機の斜視図である。
【図２】  図１のＡ部を拡大した斜視図である。
【図３】  本発明の実施の形態２に係る天井埋込型空気調和機の要部斜視図である。
【図４】  従来の天井埋込型空気調和機の一例を示す要部斜視図である。
【符号の説明】
１  ノズル、２ａ，２ｂ  支持軸、３ａ，３ｂ  中間支持アーム、４ａ，４ｂ挿入穴、５  可動ベーン（風向板）、６ａ，６ｂ  軸受穴、７ａ，７ｂ  可動連結部、１０  可動軸、１２  リブ、１４  ストッパ、  １５ａ，１５ｂ  支持穴。
【図１】
0003937393.tif 000002
【図２】
0003937393.tif 000003
【図３】
0003937393.tif 000004
【図４】
0003937393.tif 000005